(57)【要約】【課題】車両始動の事前にアルコール検査を行なうことができるとともに、検査対象者のなりすましを防止する。【解決手段】アルコールインタロックシステム１０は、携帯端末１１と車載装置１２を備える。携帯端末１１は、呼気に基づきアルコールを検知するアルコールセンサ２６と、操作者がアルコールセンサ２６に呼気を吹きかける際の口の画像を撮像する端末側カメラ２５と、端末制御部２７とを備える。端末制御部２７は、端末側カメラ２５により予め撮像された口の画像を基準画像として端末記憶部２８に記憶する。端末制御部２７は、基準画像と、基準画像の撮像後に操作者がアルコールセンサ２６に呼気を吹きかける際に撮像された口の画像とを比較することによって、本人認証を行なう。端末制御部２７は、本人認証が成立した際のアルコールセンサ２６の検知結果を有効であると判定する。【選択図】図１
2015191391.tif 000002
【特許請求の範囲】
【請求項１】
呼気に基づきアルコールを検知するアルコールセンサを有する携帯端末と、
前記アルコールセンサの検知結果に基づいて車両の所定機能の実行可否を判定する可否判定部と、
を備えるアルコールインタロックシステムであって、
前記携帯端末は、
操作者が前記アルコールセンサに呼気を吹きかける際の口の画像を撮像する撮像部と、
前記撮像部により予め撮像された前記口の画像を基準画像として記憶する記憶部と、
前記記憶部に記憶された前記基準画像と、該基準画像の撮像後に操作者が前記アルコールセンサに呼気を吹きかける際に前記撮像部により撮像された口の画像とを比較することによって、本人認証を行なう認証部と、
前記認証部により前記本人認証が成立した際の前記呼気に基づく前記検知結果を有効であると判定する判定部と、
を備える、
ことを特徴とするアルコールインタロックシステム。
【請求項２】
前記記憶部は、前記基準画像が撮像された際の時間情報を記憶し、
前記判定部は、前記記憶部に記憶された前記時間情報が、前記本人認証が成立した際の時間情報よりも所定時間以上前の時間である場合に、前記検知結果を有効であると判定する、
ことを特徴とする請求項１に記載のアルコールインタロックシステム。
【請求項３】
前記可否判定部は、前記本人認証が成立してから前記車両の所定機能の実行可否を判定するまでの時間が所定時間未満である場合に、前記検知結果を有効であると判定する、
ことを特徴とする請求項１または請求項２に記載のアルコールインタロックシステム。
【請求項４】
前記携帯端末は、該携帯端末の位置情報を検出する位置検出部を備え、
前記記憶部は、前記基準画像が撮像された際の前記位置情報を記憶し、
前記判定部は、前記本人認証が成立した際の前記基準画像の前記位置情報が所定位置である場合に、前記検知結果を有効であると判定する、
ことを特徴とする請求項１から請求項３の何れか１つに記載のアルコールインタロックシステム。
【請求項５】
前記記憶部は、前記撮像部により予め撮像された複数の異なる形状の前記口の複数の画像を複数の前記基準画像として記憶し、
前記判定部は、前記記憶部に記憶された前記複数の前記基準画像と、前記複数の前記基準画像の撮像後に操作者が前記アルコールセンサに呼気を吹きかける際に前記撮像部により撮像された口の複数の画像との全てにおいて前記本人認証が成立した場合に、前記検知結果を有効であると判定する、
ことを特徴とする請求項１から請求項４の何れか１つに記載のアルコールインタロックシステム。
【請求項６】
前記口の複数の画像は、少なくとも張唇性の音声の発音時における口の形状で前記撮像部により撮像された画像を有する、
ことを特徴とする請求項５に記載のアルコールインタロックシステム。
【請求項７】
前記撮像部および前記アルコールセンサは隣接している、
ことを特徴とする請求項１から請求項６の何れか１つに記載のアルコールインタロックシステム。
【請求項８】
前記撮像部および前記アルコールセンサが前記携帯端末の上部に配置されている場合に、操作者が前記アルコールセンサに呼気を吹きかける際に前記携帯端末の上下を反転させて把持することを案内する案内部を備える、
ことを特徴とする請求項７に記載のアルコールインタロックシステム。
【発明の詳細な説明】
【技術分野】
【０００１】
この発明は、アルコールインタロックシステムに関する。
【背景技術】
【０００２】
従来、車両にアルコール検知センサを設け、検知結果が所定の基準値を下回った場合にのみエンジン始動を許可するアルコールインタロックシステムが知られている。しかしながら、このようなシステムでは検査対象者が車両まで出向かなければアルコール検知を行えず、運転者が飲酒をしていない場合であっても検知結果が出るまでは車両を発進させることができず、利便性が著しく低下するという問題がある。このような問題を解決するため、運転者の乗車前に携帯端末でアルコール検知を行うことが考えられる。
従来、携帯型の電子キーにいわゆる呼気式のアルコール検知部を設け、車両との通信を行う際に検知結果を送信し、エンジン始動などを禁止する技術が知られている（例えば、特許文献１参照）。
【先行技術文献】
【特許文献】
【０００３】
【特許文献１】特開２００８−２９１５３５号公報
【発明の概要】
【発明が解決しようとする課題】
【０００４】
しかしながら、上記従来技術に係る電子キーによれば、電子キーの所持者に代わって他の者の呼気を検知させる、所謂なりすましが容易に行えてしまうため、検査の信頼性を確保することができないという問題がある。
【０００５】
本発明は上記事情に鑑みてなされたもので、車両始動の事前にアルコール検査を行なうことができるとともに、検査対象者のなりすましを防止することが可能なアルコールインタロックシステムを提供することを目的としている。
【課題を解決するための手段】
【０００６】
上記課題を解決して係る目的を達成するために、本発明は以下の態様を採用した。
（１）本発明の一態様に係るアルコールインタロックシステムは、呼気に基づきアルコールを検知するアルコールセンサ（例えば、実施形態でのアルコールセンサ２６）を有する携帯端末（例えば、実施形態での携帯端末１１）と、前記アルコールセンサの検知結果に基づいて車両（例えば、実施形態での車両１）の所定機能（例えば、実施形態での内燃機関３４の始動）の実行可否を判定する可否判定部（例えば、実施形態での車両制御部３３）と、を備えるアルコールインタロックシステムであって、前記携帯端末は、操作者が前記アルコールセンサに呼気を吹きかける際の口の画像を撮像する撮像部（例えば、実施形態での端末側カメラ２５）と、前記撮像部により予め撮像された前記口の画像を基準画像として記憶する記憶部（例えば、実施形態での端末記憶部２８）と、前記記憶部に記憶された前記基準画像と、該基準画像の撮像後に操作者が前記アルコールセンサに呼気を吹きかける際に前記撮像部により撮像された口の画像とを比較することによって、本人認証を行なう認証部（例えば、実施形態での端末制御部２７）と、前記認証部により前記本人認証が成立した際の前記呼気に基づく前記検知結果を有効であると判定する判定部（例えば、実施形態での端末制御部２７が兼ねる）と、を備える。
【０００７】
（２）上記（１）に記載のアルコールインタロックシステムでは、前記記憶部は、前記基準画像が撮像された際の時間情報を記憶し、前記判定部は、前記記憶部に記憶された前記時間情報が、前記本人認証が成立した際の時間情報よりも所定時間（例えば、実施形態での第２所定時間）以上前の時間である場合に、前記検知結果を有効であると判定する。
【０００８】
（３）上記（１）または（２）に記載のアルコールインタロックシステムでは、前記可否判定部は、前記本人認証が成立してから前記車両の所定機能の実行可否を判定するまでの時間が所定時間（例えば、実施形態での第３所定時間）未満である場合に、前記検知結果を有効であると判定する。
【０００９】
（４）上記（１）から（３）の何れか１つに記載のアルコールインタロックシステムは、前記携帯端末は、該携帯端末の位置情報を検出する位置検出部（例えば、実施形態での測位信号受信機２４）を備え、前記記憶部は、前記基準画像が撮像された際の前記位置情報を記憶し、前記判定部は、前記本人認証が成立した際の前記基準画像の前記位置情報が所定位置である場合に、前記検知結果を有効であると判定する。
【００１０】
（５）上記（１）から（４）の何れか１つに記載のアルコールインタロックシステムでは、前記記憶部は、前記撮像部により予め撮像された複数の異なる形状の前記口の複数の画像を複数の前記基準画像として記憶し、前記判定部は、前記記憶部に記憶された前記複数の前記基準画像と、前記複数の前記基準画像の撮像後に操作者が前記アルコールセンサに呼気を吹きかける際に前記撮像部により撮像された口の複数の画像との全てにおいて前記本人認証が成立した場合に、前記検知結果を有効であると判定する。
【００１１】
（６）上記（５）に記載のアルコールインタロックシステムでは、前記口の複数の画像は、少なくとも張唇性の音声の発音時における口の形状で前記撮像部により撮像された画像を有する。
【００１２】
（７）上記（１）から（６）の何れか１つに記載のアルコールインタロックシステムでは、前記撮像部および前記アルコールセンサは隣接している。
【００１３】
（８）上記（７）に記載のアルコールインタロックシステムは、前記撮像部および前記アルコールセンサが前記携帯端末の上部に配置されている場合に、操作者が前記アルコールセンサに呼気を吹きかける際に前記携帯端末の上下を反転させて把持することを案内する案内部（例えば、実施形態での端末制御部２７が兼ねる）を備える。
【発明の効果】
【００１４】
上記（１）に記載の態様に係るアルコールインタロックシステムによれば、アルコールセンサおよび認証部を携帯端末に備えるので、携帯端末を所持する運転者が車両に乗車する前にアルコール検知を行なうことができる。これにより、運転者が車両に乗車してから車両始動までに要する時間が長くなることを防止することができる。さらに、予め撮像された口の画像を基準画像として、アルコール検知の実施時に撮像された口の画像を基準画像と比較する認証部を備えるので、検査対象者のなりすましが行なわれることを抑制することができる。これにより、アルコール検知の検知結果の有効性を確保することができる。
【００１５】
さらに、上記（２）の場合、アルコール検知の実施時よりも所定時間以上前の基準画像を有効とする判定部を備えるので、車両始動の直前に検査対象者のなりすましによって基準画像が撮像されることを防止することができる。これによりアルコール検知の検知結果の有効性を、より高く確保することができる。
【００１６】
さらに、上記（３）の場合、本人認証が成立してから運転者の操作によって車両の所定機能の実行が指示されるまでの時間が所定時間未満である場合を有効とする可否判定部を備えるので、不自然に長い時間を要する場合を無効とすることができる。これにより、例えば車両始動の直前の検査対象者のなりすましなどによって、本人認証が成立してから車両の所定機能の実行が指示されるまでに不自然に長い時間がかかる場合を無効とすることができる。これにより、アルコール検知の検知結果の有効性を、より高く確保することができる。
【００１７】
さらに、上記（４）の場合、所定位置で撮像された基準画像を有効とする判定部を備えるので、基準画像に撮像された操作者が携帯端末の所有者である可能性が高い所定位置を設定することにより、検知結果の有効性を、より高く確保することができる。これにより、操作者が携帯端末の所有者である可能性が低い位置の基準画像で検知結果が有効であると判定されてしまうことを防止することができる。
【００１８】
さらに、上記（５）の場合、複数の基準画像および検知時における複数の口の画像によって本人認証を行なう認証部を備えるので、アルコール検知の検知結果の有効性を、より高く確保することができる。
【００１９】
さらに、上記（６）の場合、張唇性の音声発音時における口の形状により、唇の形状に加えて歯の形状を含む画像によって本人認証の精度を向上させることができ、アルコール検知の検知結果の有効性を、より高く確保することができる。
【００２０】
さらに、上記（７）の場合、互いに隣接した撮像部およびアルコールセンサを備えるので、操作者がアルコールセンサに呼気を吹きかける際における操作者の口の画像を的確に撮像することができる。これにより、検査対象者のなりすましが行なわれることを抑制して、アルコール検知の検知結果の有効性を、より高く確保することができる。
【００２１】
さらに、上記（８）の場合、撮像時に携帯端末の上下反転を案内する案内部を備えるので、携帯端末の画面に表示される口の画像を操作者に確認させて、適正な口の画像を撮像することができる。これにより、本人認証の精度を向上させ、アルコール検知の検知結果の有効性を、より高く確保することができる。
【図面の簡単な説明】
【００２２】
【図１】本発明の実施形態に係るアルコールインタロックシステムの構成図である。
【図２】本発明の実施形態に係るアルコールインタロックシステムにおいて設定される運転席周辺の所定範囲を示す斜視図である。
【図３】本発明の実施形態に係るアルコールインタロックシステムの検査時における携帯端末の表示画面に表示される口の画像の一例を示す図である。
【図４】本発明の実施形態に係るアルコールインタロックシステムの検査時における携帯端末と検査対象者との間の適正距離の一例を示す図である。
【図５】本発明の実施形態に係るアルコールインタロックシステムの携帯端末の動作を示すフローチャートである。
【図６】本発明の実施形態に係るアルコールインタロックシステムの基準画像登録処理、認証処理、および判定処理の動作タイミングの一例を示す図である。
【図７】本発明の実施形態に係るアルコールインタロックシステムの車載装置の動作を示すフローチャートである。
【図８】本発明の実施形態の変形例に係るアルコールインタロックシステムの検査時における携帯端末の表示画面に表示される口の画像の一例を示す図である。
【発明を実施するための形態】
【００２３】
以下、本発明の一実施形態に係るアルコールインタロックシステムについて添付図面を参照しながら説明する。
【００２４】
本実施形態によるアルコールインタロックシステム１０は、図１に示すように、無線通信（例えば、ｂｌｕｅｔｏｏｔｈ（登録商標）などの近距離無線通信など）によって相互に通信可能な携帯端末１１および車載装置１２を備えている。
【００２５】
携帯端末１１は、例えば車両１の運転者が携帯する情報端末などである。携帯端末１１は、端末側無線通信機２１と、端末側表示器２２と、スピーカー２３と、測位信号受信機２４と、端末側カメラ２５と、アルコールセンサ２６と、端末制御部２７と、端末記憶部２８と、を備えている。
【００２６】
端末側無線通信機２１は、例えばＢｌｕｅｔｏｏｔｈ（登録商標）などの近距離無線通信によって、図２に示すように、車両１の運転者座席周辺の所定範囲Ａ内において車載装置１２との間で各種信号の送受信を行なう。
端末側表示器２２は、図３に示すように、端末側カメラ２５によって撮像された画像および各種の情報などを端末制御部２７の制御に応じて表示する表示画面２２ａを備えている。
スピーカー２３は、端末制御部２７の制御に応じて各種の音声および信号音を出力する。
【００２７】
測位信号受信機２４は、測位システム（例えば、Global Positioning System：ＧＰＳまたはGlobal Navigation Satellite System：ＧＮＳＳなど）の測位信号を受信し、携帯端末１１の現在位置を検出する。
端末側カメラ２５は、例えば携帯端末１１の上部に配置されている。端末側カメラ２５は、携帯端末１１の外部における所定の撮像領域の画像を撮像する。
アルコールセンサ２６は、例えば携帯端末１１の上部において端末側カメラ２５に隣接して配置されている。アルコールセンサ２６は、呼気吹きかけ型のセンサであり、検査対象者の呼気中に含まれるアルコールの濃度を検出する。
【００２８】
端末制御部２７は、予め端末記憶部２８に記憶した基準画像と、携帯端末１１の操作者がアルコールセンサ２６に呼気を吹きかける際に端末側カメラ２５により撮像された口の画像とを比較することによって、携帯端末１１の所有者である運転者の本人認証を行なう。端末制御部２７は、予め適宜のタイミングで端末側カメラ２５により撮像された操作者の口の画像を基準画像として端末記憶部２８に記憶する。端末制御部２７は、予め適宜のタイミングで操作者がアルコールセンサ２６に呼気を吹きかける際における口の画像を基準画像として端末記憶部２８に記憶する。端末制御部２７は、基準画像が撮像された際の日時などの時間情報と、基準画像が撮像された際に測位信号受信機２４によって検出された現在位置（登録位置）などの位置情報とを、基準画像に対応付けて端末記憶部２８に記憶する。端末制御部２７は、所定のパターン認識処理などによって、基準画像と、基準画像の撮像後に操作者がアルコールセンサ２６に呼気を吹きかける際に端末側カメラ２５により撮像された口の画像とが、所定の程度で一致するか否かを判定する。端末制御部２７は、この判定結果が「ＹＥＳ」の場合には、基準画像で撮像された操作者と基準画像の撮像後にアルコールセンサ２６に呼気を吹きかける操作者とが同一である本人認証が成立したと判定する。一方、この判定結果が「ＮＯ」の場合には、端末制御部２７は、本人認証が成立していないと判定する。
【００２９】
端末制御部２７は、操作者がアルコールセンサ２６に呼気を吹きかける際における操作者の口の画像を端末側カメラ２５により撮像する際には、図３および図４に示すように、操作者の口が所定の大きさで撮像されるように案内を行なう。例えば、端末制御部２７は、端末側カメラ２５と操作者の口との間の距離Ｌが所定距離Ｌａになることを指示する表示および音声などを出力する。
【００３０】
端末制御部２７は、本人認証が成立した際にアルコールセンサ２６によって検知された操作者の呼気に対する検知結果が有効であるか否かを、基準画像の時間情報および位置情報に基づいて判定する。端末制御部２７は、端末記憶部２８に記憶された基準画像の時間情報が、本人認証が成立した際の時間情報よりも所定時間（例えば、数日〜数か月など）以上前の時間である場合に、アルコールセンサ２６の検知結果を有効であると判定する。端末制御部２７は、この所定時間を、例えば日付などの情報に対応付けて端末記憶部２８に記憶してもよい。端末制御部２７は、この所定時間を、基準画像の有効性を確保するために設定しており、例えば携帯端末１１の所有者が飲酒した際にアルコール検査に備えて他人によるなりすましによって基準画像を偽装しようとする時間（例えば、数時間〜十数時間など）よりも長い時間（例えば、数日〜数か月など）に設定している。
【００３１】
端末制御部２７は、端末記憶部２８に記憶された基準画像の位置情報が、操作者が携帯端末１１の所有者である可能性が高い所定位置である場合に、アルコールセンサ２６の検知結果を有効であると判定する。端末制御部２７は、この所定位置を、基準画像の有効性を確保するために設定しており、例えば携帯端末１１の所有者が飲酒した際にアルコール検査に備えて他人によるなりすましによって基準画像を偽装しようとする可能性がある位置以外としている。端末制御部２７は、携帯端末１１の所有者が基準画像を偽装しようとする可能性がある位置を、例えば、飲食店から所定距離以内の周辺位置などとしている。端末制御部２７は、所定位置を、例えば携帯端末１１の滞在時間が最も長い位置、または所有者の自宅から所定距離以内の周辺位置などとしている。
【００３２】
車載装置１２は、車両側無線通信機３１と、車両操作部３２と、車両制御部３３と、内燃機関３４と、を備えている。
【００３３】
車両側無線通信機３１は、例えばＢｌｕｅｔｏｏｔｈ（登録商標）などの近距離無線通信によって、図２に示すように、車両１の運転者座席周辺の所定範囲Ａ内において携帯端末１１との間で各種信号の送受信を行なう。
車両操作部３２は、運転者の運転操作に応じた信号を出力するスタートスイッチ、ステアリングホイール、シフトレバー、アクセルペダル、およびブレーキペダルなどである。
【００３４】
車両制御部３３は、携帯端末１１から受信したアルコールセンサ２６の検知結果に基づいて車両１の所定機能、例えば内燃機関３４の始動を含む車両１の起動などの実行可否を判定する。車両制御部３３は、携帯端末１１によって有効であると判定されたアルコールセンサ２６の検知結果を携帯端末１１から受信すると、この検知結果の有効性を判定した後に、車両１の所定機能の実行可否を判定する。車両制御部３３は、携帯端末１１によって本人認証が成立してから車両１の所定機能の実行可否を判定するまでの時間が所定時間（例えば、数分など）未満である場合に、アルコールセンサ２６の検知結果を有効であると判定する。車両制御部３３は、車両１の所定機能の実行可否を判定するまでの時間を、例えば、運転者が車両１の所定機能の実行を指示するために車両操作部３２を操作するまでの時間などとしている。車両制御部３３は、アルコールセンサ２６の検知結果を有効であると判定した後に、この検知結果におけるアルコールの濃度が所定の検知閾値未満である場合に、車両１の所定機能の実行（例えば、内燃機関３４の始動など）を許可する。一方、この検知結果におけるアルコールの濃度が所定の検知閾値以上である場合に、車両１の所定機能の実行（例えば、内燃機関３４の始動など）を禁止する。
【００３５】
本実施の形態によるアルコールインタロックシステム１０は上記構成を備えており、次に、このアルコールインタロックシステム１０の動作について説明する。
【００３６】
以下に、携帯端末１１の動作について説明する。
先ず、図５に示すように、端末制御部２７は、基準画像を端末記憶部２８に記憶しているか否かを判定する（ステップＳ０１）。
この判定結果が「ＮＯ」の場合、端末制御部２７は、処理を終了させる（ステップＳ０１のＮＯ側）。
一方、この判定結果が「ＹＥＳ」の場合、端末制御部２７は、処理をステップＳ０２に進める（ステップＳ０１のＹＥＳ側）。
【００３７】
次に、端末制御部２７は、携帯端末１１の操作者に対して、アルコールセンサ２６に呼気を吹きかけること、およびアルコールセンサ２６に呼気を吹きかける際における操作者の口の画像を端末側カメラ２５により撮像することを案内する（ステップＳ０２）。端末制御部２７は、操作者の口が端末側カメラ２５により所定の大きさで撮像されるように、端末側カメラ２５と操作者の口との間の距離Ｌが所定距離Ｌａになるように指示する。
【００３８】
次に、端末制御部２７は、案内開始から端末側カメラ２５による撮像およびアルコールセンサ２６による検知が完了していない状態で第１所定時間（例えば、数秒など）が経過したか否かを判定する（ステップＳ０３）。
この判定結果が「ＮＯ」の場合、端末制御部２７は、処理を終了させる（ステップＳ０３のＮＯ側）。
一方、この判定結果が「ＹＥＳ」の場合、端末制御部２７は、処理をステップＳ０４に進める（ステップＳ０３のＹＥＳ側）。
【００３９】
次に、端末制御部２７は、端末側カメラ２５による撮像およびアルコールセンサ２６による検知が完了したか否かを判定する（ステップＳ０４）。
この判定結果が「ＮＯ」の場合、端末制御部２７は、処理を終了させる（ステップＳ０４のＮＯ側）。
一方、この判定結果が「ＹＥＳ」の場合、端末制御部２７は、処理をステップＳ０５に進める（ステップＳ０４のＹＥＳ側）。
【００４０】
次に、端末制御部２７は、所定のパターン認識処理などによって、予め端末記憶部２８に記憶している基準画像と、今回の処理で端末側カメラ２５により撮像された口の画像とが、所定の程度で一致するか否かを判定する。これにより端末制御部２７は、基準画像で撮像された操作者と、今回の処理でアルコールセンサ２６に呼気を吹きかける操作者とが同一である本人認証が成立したか否かを判定する（ステップＳ０５）。
この判定結果が「ＮＯ」の場合、端末制御部２７は、処理をステップＳ０６に進める（ステップＳ０５のＮＯ側）。
一方、この判定結果が「ＹＥＳ」の場合、端末制御部２７は、処理をステップＳ０７に進める（ステップＳ０５のＹＥＳ側）。
【００４１】
そして、端末制御部２７は、アルコールセンサ２６の検知結果は無効であると判定して、処理を終了させる（ステップＳ０６）。
また、端末制御部２７は、基準画像の登録期間は第２所定時間（例えば、１か月〜数か月など）以上であるか否かを判定する（ステップＳ０７）。
この判定結果が「ＮＯ」の場合、端末制御部２７は、処理を上述したステップＳ０６に進める（ステップＳ０７のＮＯ側）。
一方、この判定結果が「ＹＥＳ」の場合、端末制御部２７は、処理をステップＳ０８に進める（ステップＳ０７のＹＥＳ側）。
なお、登録期間は、図６に示すように、予め端末制御部２７が基準画像を端末記憶部２８に記憶した時刻ｔ２から、アルコールセンサ２６に呼気を吹きかける操作者に対して端末側カメラ２５による撮像およびアルコールセンサ２６による検知が実行された時刻ｔ３までの期間である。
【００４２】
そして、端末制御部２７は、基準画像の登録位置は所定位置であるか否かを判定する（ステップＳ０８）。
この判定結果が「ＮＯ」の場合、端末制御部２７は、処理を上述したステップＳ０６に進める（ステップＳ０８のＮＯ側）。
一方、この判定結果が「ＹＥＳ」の場合、端末制御部２７は、処理をステップＳ０９に進める（ステップＳ０８のＹＥＳ側）。
そして、端末制御部２７は、アルコールセンサ２６の検知結果は有効であると判定する（ステップＳ０９）。
【００４３】
次に、端末制御部２７は、端末側無線通信機２１と車両側無線通信機３１との間の無線通信について所定の通信処理を実行してから、処理を終了させる（ステップＳ１０）。端末制御部２７は、所定の通信処理として、先ず、端末側無線通信機２１の所定範囲内で通信可能な通信相手を探索する。そして、端末制御部２７は、所定範囲内で車両側無線通信機３１を認識すると、相互に通信可能に登録済みであるか否かを判定する。この判定結果において、例えば相互に未登録である場合には、端末制御部２７は、操作者の操作に応じて登録処理を行なう。この際に端末制御部２７は、登録認証に先立って、有効であると判定したアルコールセンサ２６の検知結果の情報を車載装置１２に送信する。一方、端末側無線通信機２１と車両側無線通信機３１とが相互に通信可能に登録済みである場合には、端末制御部２７は、有効であると判定したアルコールセンサ２６の検知結果の情報を車載装置１２に送信する。
【００４４】
以下に、車載装置１２の動作について説明する。
先ず、図７に示すように、車両制御部３３は、車両側無線通信機３１が所定範囲内において相互に通信可能に登録済みの車両側無線通信機３１と通信を行なったか否かを判定する（ステップＳ２１）。
この判定結果が「ＮＯ」の場合、車両制御部３３は、処理を終了させる（ステップＳ２１のＮＯ側）。
一方、この判定結果が「ＹＥＳ」の場合、車両制御部３３は、処理をステップＳ２２に進める（ステップＳ２１のＹＥＳ側）。
【００４５】
次に、車両制御部３３は、運転者が車両１の所定機能として内燃機関３４の始動を指示するために車両操作部３２（例えば、スタートスイッチなど）を操作したか否かを判定する（ステップＳ２２）。
この判定結果が「ＮＯ」の場合、車両制御部３３は、処理を終了させる（ステップＳ２２のＮＯ側）。
一方、この判定結果が「ＹＥＳ」の場合、車両制御部３３は、処理をステップＳ２３に進める（ステップＳ２２のＹＥＳ側）。
【００４６】
次に、車両制御部３３は、携帯端末１１によって有効であると判定されたアルコールセンサ２６の検知結果を携帯端末１１から受信したか否かを判定する（ステップＳ２３）。
この判定結果が「ＮＯ」の場合、車両制御部３３は、処理をステップＳ２４に進める（ステップＳ２３のＮＯ側）。
一方、この判定結果が「ＹＥＳ」の場合、車両制御部３３は、処理をステップＳ２６に進める（ステップＳ２３のＹＥＳ側）。
【００４７】
そして、車両制御部３３は、内燃機関３４の始動を禁止する（ステップＳ２４）。
次に、車両制御部３３は、車両１に搭載された表示器（図示略）またはスピーカー（図示略）などによって、内燃機関３４の始動が禁止されていることを運転者に報知して、処理を終了させる（ステップＳ２５）。
【００４８】
また、車両制御部３３は、認証有効期間は第３所定時間（例えば、数分など）未満であるか否かを判定する（ステップＳ２６）。
この判定結果が「ＮＯ」の場合、車両制御部３３は、処理をステップＳ２７に進める（ステップＳ２６のＮＯ側）。
一方、この判定結果が「ＹＥＳ」の場合、車両制御部３３は、処理をステップＳ２８に進める（ステップＳ２６のＹＥＳ側）。
なお、認証有効期間は、図６に示すように、携帯端末１１のアルコールセンサ２６による検知が完了した時刻ｔ４から、運転者によって内燃機関３４の始動が開始された時刻ｔ５までの期間である。
そして、端末制御部２７は、携帯端末１１から受信したアルコールセンサ２６の検知結果は無効であると判定して、処理を上述したステップＳ２４に進める（ステップＳ２７）。
【００４９】
また、端末制御部２７は、携帯端末１１から受信したアルコールセンサ２６の検知結果は有効であると判定する（ステップＳ２８）。
そして、車両制御部３３は、携帯端末１１から受信したアルコールセンサ２６の検知結果におけるアルコールの濃度が所定の検知閾値未満であるか否かを判定する（ステップＳ２９）。
この判定結果が「ＮＯ」の場合、車両制御部３３は、処理を上述したステップＳ２４に進める（ステップＳ２９のＮＯ側）。
一方、この判定結果が「ＹＥＳ」の場合、車両制御部３３は、処理をステップＳ３０に進める（ステップＳ２９のＹＥＳ側）。
【００５０】
そして、車両制御部３３は、運転者による内燃機関３４の始動を許可する（ステップＳ３０）。
次に、車両制御部３３は、運転者の操作に応じて内燃機関３４の始動処理を実行して、処理を終了させる（ステップＳ３１）。
【００５１】
上述したように、本実施の形態によるアルコールインタロックシステム１０によれば、アルコールセンサ２６および本人認証を行なう端末制御部２７を携帯端末１１に備えるので、運転者が車両１に乗車する前にアルコール検知を行なうことができる。これにより、運転者が車両１に乗車してから車両始動までに要する時間が長くなることを防止することができる。さらに、予め端末側カメラ２５により撮像された操作者の口の画像を基準画像として、アルコール検知の実施時における操作者の口の画像を基準画像と比較する端末制御部２７を備えるので、検査対象者のなりすましが行なわれることを抑制することができる。これにより、アルコール検知の検知結果の有効性を確保することができる。
【００５２】
さらに、アルコール検知の実施時よりも第２所定時間（例えば、１か月〜数か月など）以上前の基準画像を有効とする端末制御部２７を備えるので、車両始動の直前に検査対象者のなりすましによって基準画像が撮像されることを防止することができる。これによりアルコール検知の検知結果の有効性を、より高く確保することができる。
さらに、本人認証が成立してから運転者の操作によって内燃機関３４の始動が指示されるまでの時間（認証有効期間）が第３所定時間（例えば、数分など）未満である場合を有効とする端末制御部２７を備えるので、不自然に長い時間を要する場合を無効とすることができる。これにより、例えば車両始動の直前の検査対象者のなりすましなどによって、本人認証が成立してから車両１の内燃機関３４の始動が指示されるまでに不自然に長い時間がかかる場合を無効とすることができる。これにより、アルコール検知の検知結果の有効性を、より高く確保することができる。
【００５３】
さらに、所定位置で撮像された基準画像を有効とする端末制御部２７を備えるので、基準画像に撮像された操作者が携帯端末１１の所有者である可能性が高い所定位置を設定することにより、検知結果の有効性を、より高く確保することができる。これにより、操作者が携帯端末１１の所有者である可能性が低い位置の基準画像で検知結果が有効であると判定されてしまうことを防止することができる。
【００５４】
以下、上述した実施形態の変形例について説明する。
上述した実施形態において、端末制御部２７は、１つの基準画像に限定されず、複数の異なる形状の口の画像を複数の基準画像として端末記憶部２８に記憶してもよい。この変形例において、端末制御部２７は、複数の基準画像と、これらの基準画像の撮像後に操作者がアルコールセンサ２６に呼気を吹きかける際に端末側カメラ２５により撮像された口の複数の画像との全てにおいて本人認証が成立するか否かを判定する。端末制御部２７は、複数の基準画像と、端末側カメラ２５により撮像された口の複数の画像との全てにおいて本人認証が成立した場合に、アルコールセンサ２６の検知結果を有効であると判定する。
この変形例によれば、複数の基準画像および検知時における複数の口の画像によって本人認証を行なう端末制御部２７を備えるので、アルコール検知の検知結果の有効性を、より高く確保することができる。
【００５５】
さらに、端末制御部２７は、端末側カメラ２５により撮像された口の複数の画像に、図８に示すように、張唇性の音声の発音時における口の形状で端末側カメラ２５により撮像された画像を有してもよい。張唇性の音声は、例えば日本語における「イ」の音声などである。この変形例において、端末制御部２７は、携帯端末１１の操作者に対して、口の画像を端末側カメラ２５により撮像する際に張唇性の音声を発音するように案内する。
この変形例によれば、張唇性の音声発音時における口の形状により、唇の形状に加えて歯の形状を含む画像によって本人認証の精度を向上させることができ、アルコール検知の検知結果の有効性を、より高く確保することができる。
【００５６】
上述した実施形態において、端末制御部２７は、端末側カメラ２５およびアルコールセンサ２６が携帯端末１１の上部に配置されている場合に、携帯端末１１の上下を反転させた状態で口の画像を端末側カメラ２５により撮像するように案内してもよい。端末制御部２７は、操作者がアルコールセンサ２６に呼気を吹きかける際に、操作者が端末側表示器２２の表示画面２２ａに表示される口の画像を確認しながら端末側カメラ２５による撮像を行なうように、携帯端末１１の上下を反転させて把持することを指示する。
この変形例によれば、携帯端末１１の表示画面２２ａに表示される口の画像を操作者に確認させて、適正な口の画像を撮像することができる。これにより、本人認証の精度を向上させ、アルコール検知の検知結果の有効性を、より高く確保することができる。
【００５７】
上述した実施形態において、端末制御部２７は、端末記憶部２８に記憶された基準画像の位置情報が所定位置である場合に、アルコールセンサ２６の検知結果を有効であると判定するとしたが、これに限定されない。端末制御部２７は、基準画像の位置情報が所定位置以外である場合、例えば飲食店の周辺位置などのように携帯端末１１の所有者が基準画像を偽装しようとする可能性がある位置である場合に、アルコールセンサ２６の検知結果を無効と判定してもよい。
これにより、検査対象者のなりすましが行なわれることを抑制し、アルコール検知の検知結果の有効性を、より高く確保することができる。
【００５８】
上述した実施形態において、車両制御部３３は、予め車両側無線通信機３１に対して相互に通信可能に登録済みの端末側無線通信機２１から受信するアルコールセンサ２６の検知結果のみを有効と判定してもよい。
さらに、車両制御部３３は、予め車両側無線通信機３１に対して相互に通信可能に登録済みの端末側無線通信機２１の登録処理が所定時間（例えば、数日〜数か月など）以上前に行われている場合に、アルコールセンサ２６の検知結果を有効と判定してもよい。
これにより、検査対象者のなりすましが行なわれることを抑制し、アルコール検知の検知結果の有効性を、より高く確保することができる。
【００５９】
上述した実施形態において、端末制御部２７は、アルコールセンサ２６の検知結果に基づいて、車両１の所定機能、例えば内燃機関３４の始動を含む車両１の起動などの実行可否を判定してもよい。
さらに、携帯端末１１は、車両１に対する電子キーとしての機能を有してもよい。この場合、端末制御部２７は、アルコールセンサ２６の検知結果に基づいて、携帯端末１１と車載装置１２との間で行われる通信を制御する。端末制御部２７は、アルコールセンサ２６の検知結果におけるアルコールの濃度が所定の検知閾値以上である場合に、車両１のドアの解錠などを指示する通信を許可し、車両１の所定機能の実行（例えば、内燃機関３４の始動など）を指示する通信を禁止する。
【００６０】
上述した実施形態において、端末制御部２７は、操作者の口の画像を用いた本人認証に加えて、操作者の指紋認証を併用してもよい。
これにより、本人認証の精度を向上させ、アルコール検知の検知結果の有効性を、より高く確保することができる。
【００６１】
本発明の実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００６２】
１…車両、１０…アルコールインタロックシステム、１１…携帯端末１１…車載装置、２４…測位信号受信機（位置検出部）、２５…端末側カメラ（撮像部）、２６…アルコールセンサ、２７…端末制御部（認証部、判定部、案内部）、２８…端末記憶部（記憶部）、３３…車両制御部（可否判定部）、３４…内燃機関
【図１】
2015191391.tif 000003
【図２】
2015191391.tif 000004
【図３】
2015191391.tif 000005
【図４】
2015191391.tif 000006
【図５】
2015191391.tif 000007
【図６】
2015191391.tif 000008
【図７】
2015191391.tif 000009
【図８】
2015191391.tif 000010